(57)【要約】【課題】画像情報の取引を支援できる取引支援システムを提供する。【解決手段】ユーザＡは、運動会において自分が撮影して得られた画像情報を、売り手ユーザ端末３の画像情報送信部３Ａからサーバ２へ送信する。ユーザＢは、購入したい画像情報についての買要求を、買い手ユーザ端末４の買要求送信部４Ａからサーバ２へ送信する。サーバ２の買要求受信部７が買要求を受信して画像情報の購入が確定すると、買い手ユーザ端末４の転送画像情報受信部４Ｂは、サーバ２から転送された転送画像情報を受信する。サーバ２の振替要求部８は、買要求に対応する画像情報の金額の一部を売り手ユーザ端末３のユーザの口座へ入金することを、買い手ユーザ用金融機関端末１６へ要求する。買い手ユーザ用金融機関端末１６は、売り手ユーザ用金融機関端末１７へ、インターネット１５を介して送金情報を送信する。【選択図】図１
2015215778.tif 000002
【特許請求の範囲】
【請求項１】
撮影して得られた画像情報を一のユーザから受信可能な画像情報受信部と、
該画像情報受信部が受信した前記画像情報を販売価格と関連付けて記録可能な画像情報記録部と、
該画像情報記録部が記録した前記画像情報について他のユーザから買要求を受信可能な買要求受信部と、
前記買要求受信部が受信した買要求に対応する前記画像情報の金額の一部を、前記一のユーザの口座へ入金することを要求可能であり、かつ、前記買要求に対応する前記画像情報の金額の残部を、記録された前記画像情報の管理者の口座へ入金することを要求可能な振替要求部とを有するサーバを備える
取引支援システム。
【請求項２】
前記画像情報はイベントの画像情報であり、
前記サーバは、前記振替要求部が入金を要求して前記管理者の口座に入金された金額の一部を、前記イベントの主催者の口座へ入金することを要求可能なイベント主催者用振替要求部を有する
請求項１に記載の取引支援システム。
【請求項３】
前記サーバは、ユーザごとに前記画像情報の購入総額と販売総額を記録可能な売買総額記録部と、
該売買総額記録部が記録した購入総額が販売総額より大きい場合に、購入総額と販売総額の差額を、同売買総額記録部が記録したユーザの口座から出金することを前記振替要求部に要求させることが可能であり、かつ、同売買総額記録部が記録した購入総額が販売総額より小さい場合に、購入総額と販売総額の差額を、同売買総額記録部が記録したユーザの口座へ入金することを前記振替要求部に要求させる制御が可能な振替制御部とを有する
請求項１または請求項２に記載の取引支援システム。
【請求項４】
前記サーバは、前記イベントのための識別情報であるイベント用識別情報を記録可能なイベント用識別情報記録部と、
ユーザから受信した前記イベント用識別情報と前記イベント用識別情報記録部が記録した前記イベント用識別情報とを照合して合致した場合に、同ユーザを認証可能である認証部とを有し、
前記画像情報受信部は、前記認証部が認証したユーザから前記イベントの画像情報を受信可能であり、
前記買要求受信部は、前記認証部が認証したユーザから買要求を受信可能である
請求項２または請求項３に記載の取引支援システム。
【請求項５】
前記振替制御部は、入金する金額が所定の時期に所定の金額以上であること、またはユーザから入金要求があることを入金条件にして、同ユーザの口座へ入金することを前記振替要求部に要求させることが可能である
請求項３に記載の取引支援システム。
【請求項６】
前記サーバは、前記振替制御部の前記入金条件を、ユーザから受信する設定要求に基づいて設定可能な条件設定部を有する
請求項５に記載の取引支援システム。
【発明の詳細な説明】
【技術分野】
【０００１】
本発明は取引支援システムに関する。詳しくは、例えば小学校の運動会で撮った写真の取引を支援する取引支援システムに係るものである。
【背景技術】
【０００２】
デジタル写真は、フィルムを用いた写真である銀塩写真とは異なり、パーソナルコンピュータなどにデジタルデータとして保存されるものである。
【０００３】
また、デジタル写真は簡単に編集加工することができ、また、即座に消去することができる。そして、その利便性ゆえに、デジタル写真は広く普及している。
【０００４】
このようなデジタル写真を大量に保存する装置は、これまで多数提案されている。
例えば特許文献１には、図２に示すような画像検索装置が記載されている。
【０００５】
すなわち、特許文献１に記載の画像検索装置１００は、表示部１０６を備える。また、画像検索装置１００は、画像と、画像から抽出された画像特徴量と、画像の撮影条件を示すメタ情報とを関連付けて保持するデータベース１０４を備える。
【０００６】
また、画像検索装置１００は、画像特徴量の種類を含む第１の情報を生成し、メタ情報の種類を含む第２の情報を生成する入力部１０１を備える。また、画像検索装置１００は、第１の情報に基づいて、画像特徴量を有する画像を検索するための第１の検索キーを生成する特徴量抽出部１０２を備える。
【０００７】
また、画像検索装置１００は、第２の情報に基づいて、メタ情報に合致するメタ情報を有する画像を検索するための第２の検索キーを生成する検索キー生成部１０５を備える。
【０００８】
また、画像検索装置１００は、第１の検索キーおよび第２の検索キーの少なくとも一つを用いてデータベース１０４を検索し、検索した複数の画像を表示部１０６に順次表示させる検索部１０３を備える。
【先行技術文献】
【特許文献】
【０００９】
【特許文献１】特開２００６−１６４００８号公報
【発明の概要】
【発明が解決しようとする課題】
【００１０】
ところで、例えば、学校の運動会に参加した保護者は、自分の子供が競技を行なっている間は、自分の子供をデジタルビデオカメラなどで撮影することに集中してしまいがちである。
【００１１】
そして、デジタルビデオカメラを通して自分の子供の競技を見た場合、自分の目で直接、子供の競技を見た場合に比べて感動の度合いは低い。従って、保護者は、撮影せずに子供の競技を見て子供を応援したいという願望を持っている。
また一方で、保護者は、自分の子供の競技の様子を記録しておきたいという願望も持っている。
【００１２】
そこで、写真撮影業者に依頼することが考えられる。しかし、高い費用が発生してしまうという問題がある。
【００１３】
また、保護者が自分の子供の競技を撮影するということは、逆に言えば、自分の子供が競技をしていないときは、その保護者は撮影していないということである。
【００１４】
従って、本発明の発明者らは、競技中の子供の保護者の代わりに、競技をしていない子供の保護者が撮影してあげて、しかも両保護者の間で画像を取引するという形にすれば、業者ほどの費用をかけずに前述の保護者の願望を叶えることができることを見出し、本発明を完成するに至った。
なお、特許文献１は、画像の取引について何ら言及していない。
【００１５】
本発明は、以上の点に鑑みて創案されたものであり、画像情報の取引を支援できる取引支援システムを提供することを目的とする。
【課題を解決するための手段】
【００１６】
上記の目的を達成するために、本発明の取引支援システムは、撮影して得られた画像情報を一のユーザから受信可能な画像情報受信部と、該画像情報受信部が受信した前記画像情報を販売価格と関連付けて記録可能な画像情報記録部と、該画像情報記録部が記録した前記画像情報について他のユーザから買要求を受信可能な買要求受信部と、前記買要求受信部が受信した買要求に対応する前記画像情報の金額の一部を、前記一のユーザの口座へ入金することを要求可能であり、かつ、前記買要求に対応する前記画像情報の金額の残部を、記録された前記画像情報の管理者の口座へ入金することを要求可能な振替要求部とを有するサーバを備える。
【００１７】
ここで、撮影して得られた画像情報を一のユーザから受信可能な画像情報受信部によって、画像情報の販売を希望するユーザは、ユーザ端末を使ってサーバへ画像情報を送信することができる。
【００１８】
また、画像情報受信部が受信した画像情報を販売価格と関連付けて記録可能な画像情報記録部によって、ユーザは、画像情報の取引に必要な情報を、ユーザ端末を使って閲覧することができる。
【００１９】
さらに、画像情報記録部が記録した画像情報について他のユーザから買要求を受信可能な買要求受信部によって、画像情報の購入を希望するユーザは、ユーザ端末を使って購入をサーバに対して要求できる。
【００２０】
また、買要求受信部が受信した買要求に対応する画像情報の金額の一部を、一のユーザの口座へ入金することを要求可能であり、かつ、買要求に対応する画像情報の金額の残部を、記録された画像情報の管理者の口座へ入金することを要求可能な振替要求部によって、画像情報の販売を希望するユーザおよびシステムの管理者の両者が収入を得ることができる。
【００２１】
また、本発明の取引支援システムにおいて、画像情報はイベントの画像情報であり、サーバは、振替要求部が入金を要求して管理者の口座に入金された金額の一部を、イベントの主催者の口座へ入金することを要求可能なイベント主催者用振替要求部を有するものとすることができる。
【００２２】
この場合、ユーザは、自分が撮影して得られたイベントの画像情報を販売できるので、ユーザが積極的にイベントに参加するようになることが期待できる。
また、振替要求部が入金を要求して管理者の口座に入金された金額の一部を、イベントの主催者の口座へ入金することを要求可能なイベント主催者用振替要求部によって、イベントの主催者が収入を得ることができる。
【００２３】
また、本発明の取引支援システムにおいて、サーバは、ユーザごとに画像情報の購入総額と販売総額を記録可能な売買総額記録部と、売買総額記録部が記録した購入総額が販売総額より大きい場合に、購入総額と販売総額の差額を、売買総額記録部が記録したユーザの口座から出金することを振替要求部に要求させることが可能であり、かつ、売買総額記録部が記録した購入総額が販売総額より小さい場合に、購入総額と販売総額の差額を、売買総額記録部が記録したユーザの口座へ入金することを振替要求部に要求させる制御が可能な振替制御部とを有するものとすることができる。
【００２４】
この場合、ユーザごとに画像情報の購入総額と販売総額を記録可能な売買総額記録部によって、ユーザごとに画像情報の購入総額と販売総額を明確にすることができる。
【００２５】
また、売買総額記録部が記録した購入総額が販売総額より大きい場合に、購入総額と販売総額の差額を、売買総額記録部が記録したユーザの口座から出金することを振替要求部に要求させることが可能であり、かつ、売買総額記録部が記録した購入総額が販売総額より小さい場合に、購入総額と販売総額の差額を、売買総額記録部が記録したユーザの口座へ入金することを振替要求部に要求させる制御が可能な振替制御部によって、ユーザごとに販売総額と購入総額を相殺して決済することができる。
【００２６】
また、本発明の取引支援システムにおいて、サーバは、イベントのための識別情報であるイベント用識別情報を記録可能なイベント用識別情報記録部と、ユーザから受信したイベント用識別情報とイベント用識別情報記録部が記録したイベント用識別情報とを照合して合致した場合に、ユーザを認証可能である認証部とを有し、画像情報受信部は、認証部が認証したユーザからイベントの画像情報を受信可能であり、買要求受信部は、認証部が認証したユーザから買要求を受信可能であるものとすることができる。
【００２７】
この場合、イベントの画像情報の取引を行なうことができるユーザを限定することができる。
【００２８】
また、本発明の取引支援システムにおいて、振替制御部は、入金する金額が所定の時期に所定の金額以上であること、またはユーザから入金要求があることを入金条件にして、このユーザの口座へ入金することを前記振替要求部に要求させることが可能であるものとすることができる。
【００２９】
この場合、まとめて入金させることができるので、振替手数料を抑えることができる。
【００３０】
また、本発明の取引支援システムにおいて、サーバは、振替制御部の入金条件を、ユーザから受信する設定要求に基づいて設定可能な条件設定部を有するものとすることができる。
【００３１】
この場合、ユーザは、自分の口座への入金をコントロールできる。
【発明の効果】
【００３２】
本発明に係る取引支援システムは、画像情報の取引を支援できる。
【図面の簡単な説明】
【００３３】
【図１】本発明を適用した取引支援システムの全体の構成の一例を示す概略図である。
【図２】従来の画像検索装置の構成を示す概略図である。
【発明を実施するための形態】
【００３４】
以下、本発明の実施の形態について図面を参照しながら説明し、本発明の理解に供する。
図１は、本発明を適用した取引支援システムの全体の構成の一例を示す概略図である。
【００３５】
図１に示す本発明の取引支援システム１は、サーバ２と、サーバ２とインターネット１５を介して通信可能な売り手ユーザ端末３と、サーバ２とインターネット１５を介して通信可能な買い手ユーザ端末４とを備える。
【００３６】
ここで、「ユーザ端末」とは、例えば、スマートフォンや、ノート型パーソナルコンピュータや、タブレットパーソナルコンピュータである。
【００３７】
また、本発明の取引支援システム１は、買い手ユーザ用口座データベース１６Ａを有する買い手ユーザ用金融機関端末１６を備える。
ここで、買い手ユーザ用金融機関端末１６は、サーバ２とインターネット１５を介して通信可能である。
【００３８】
また、本発明の取引支援システム１は、売り手ユーザ用口座データベース１７Ａを有する売り手ユーザ用金融機関端末１７を備える。
ここで、売り手ユーザ用金融機関端末１７は、買い手ユーザ用金融機関端末１６とインターネット１５を介して通信可能である。
【００３９】
また、本発明の取引支援システム１は、管理者用口座データベース１８Ａを有する管理者用金融機関端末１８を備える。
ここで、管理者用金融機関端末１８は、買い手ユーザ用金融機関端末１６とインターネット１５を介して通信可能である。
【００４０】
また、本発明の取引支援システム１は、イベント主催者用口座データベース１９Ａを有するイベント主催者用金融機関端末１９を備える。
ここで、イベント主催者用金融機関端末１９は、管理者用金融機関端末１８とインターネット１５を介して通信可能である。
【００４１】
ここで、「金融機関」とは、例えば銀行やクレジットカード会社である。
【００４２】
また、サーバ２は、ユーザが撮影して得られた画像情報例えば小学校の運動会の画像情報を売り手ユーザ端末３から受信可能な画像情報受信部５を有する。
また、売り手ユーザ端末３は、ユーザが撮影して得られた画像情報を、インターネット１５を介してサーバ２へ送信可能な画像情報送信部３Ａを有する。
【００４３】
また、サーバ２は、イベント例えば小学校の運動会のような限定イベントのための識別情報であるイベント用識別情報を記録可能なイベント用識別情報データベース１２を有する。
ここで、イベント用識別情報データベース１２は、イベント用識別情報記録部の一例である。
また、イベント用識別情報とは、ＩＤとパスワードである。
【００４４】
一方、売り手ユーザ端末３は、限定イベントである小学校の運動会用のＩＤとパスワードを、インターネット１５を介してサーバ２へ送信可能なイベント用識別情報送信部３Ｂを有する。
また、買い手ユーザ端末４も、限定イベントである小学校の運動会用のＩＤとパスワードを、インターネット１５を介してサーバ２へ送信可能なイベント用識別情報送信部４Ｃを有する。
【００４５】
また、サーバ２は、売り手ユーザ端末３および買い手ユーザ端末４から送信されたＩＤとパスワードを受信可能なイベント用識別情報受信部１２Ａを有する。
【００４６】
また、サーバ２は、ユーザ端末すなわち売り手ユーザ端末３および買い手ユーザ端末４を介してユーザから受信したＩＤおよびパスワードと、イベント用識別情報データベース１２が記録したＩＤおよびパスワードとを照合して合致した場合に、売り手ユーザ端末３および買い手ユーザ端末４のユーザそれぞれを認証可能である認証部１３を有する。
【００４７】
また、画像情報受信部５は、認証部１３が認証したユーザから、ユーザ端末すなわち売り手ユーザ端末３を介して小学校の運動会の画像情報を受信可能である。
すなわち、認証部１３が認証していないユーザからは、ユーザ端末を介して小学校の運動会の画像情報を受信しない。
【００４８】
また、サーバ２は、画像情報受信部５が受信した画像情報を販売価格と関連付けて記録可能な画像情報データベース６を有する。
ここで、画像情報データベース６は、画像情報記録部の一例である。
【００４９】
また、サーバ２は、画像情報データベース６が記録した画像情報について、買い手ユーザ端末４から買要求を受信可能な買要求受信部７を有する。また、買要求受信部７は、買要求を受信するごとに、買要求に対応する画像情報の購入を確定可能である。
【００５０】
また、買要求受信部７は、認証部１３が認証したユーザから、ユーザ端末すなわち買い手ユーザ端末４を介して小学校の運動会の画像情報に関しての買要求を受信可能である。
すなわち、認証部１３が認証していないユーザからは、ユーザ端末を介して小学校の運動会の画像情報に関しての買要求を受信しない。
【００５１】
また、サーバ２は、買要求受信部７が買要求を受信して買要求に対応する画像情報の購入が確定した場合に、購入が確定した画像情報を、インターネット１５を介して買い手ユーザ端末４へ転送可能な画像情報転送部６Ａを有する。
【００５２】
また、買い手ユーザ端末４は、転送された画像情報を受信可能な転送画像情報受信部４Ｂを有する。
【００５３】
また、サーバ２は、買要求受信部７が受信した買要求に対応する画像情報の金額の一部を、売り手ユーザ端末３のユーザの口座へ入金することを買い手ユーザ用金融機関端末１６に対してインターネット１５を介して要求可能な振替要求部８を有する。
また、さらに振替要求部８は、買要求に対応する画像情報の金額の残部を、記録された画像情報の管理者の口座へ入金することを買い手ユーザ用金融機関端末１６に対してインターネット１５を介して要求可能である。
【００５４】
また、サーバ２は、振替要求部８が入金を要求して管理者の口座に入金された金額の一部を、イベントの主催者例えば小学校の口座へ入金することを、管理者用金融機関端末１８に対してインターネット１５を介して要求可能なイベント主催者用振替要求部９を有する。
【００５５】
また、サーバ２は、ユーザごとに画像情報の購入総額と販売総額を記録可能な売買総額データベース１０を有する。
ここで、売買総額データベース１０は、売買総額記録部の一例である。
【００５６】
また、サーバ２は、売買総額データベース１０が記録した購入総額が販売総額より大きい場合に、購入総額と販売総額の差額を、売買総額データベース１０が記録したユーザの口座から出金することを振替要求部８に要求させることが可能な振替制御部１１を有する。
また、さらに振替制御部１１は、売買総額データベース１０が記録した購入総額が販売総額より小さい場合に、購入総額と販売総額の差額を、売買総額データベース１０が記録したユーザの口座へ入金することを振替要求部８に要求させる制御が可能である。
【００５７】
また、振替制御部１１は、入金する金額が所定の時期に所定の金額以上であること、またはユーザからユーザ端末を介して入金要求があることを入金条件にして、ユーザの口座へ入金することを振替要求部８に要求させることが可能である。
【００５８】
また、サーバ２は、振替制御部１１の入金条件を、ユーザから受信する設定要求に基づいて設定可能な条件設定部１４を有する。
ユーザは、ユーザ端末を使って、例えば、月末時点において、購入総額が販売総額より小さい場合の購入総額と販売総額の差額が１０００円以上であること、または月末時点において、購入総額が販売総額より小さい場合の購入総額と販売総額の差額が５０００円以上であることを入金条件として設定要求できる。
【００５９】
なお、「売り手ユーザ端末」や「買い手ユーザ端末」という表現は、立場が違うユーザの端末を示すためだけに使用しているものであり、売り手だったユーザが買い手に転じた場合には、売り手だったユーザの端末は「買い手ユーザ端末」となる。また、その逆も当然である。
【００６０】
ここで、サーバは、必ずしもイベント主催者用振替要求部を有していなくてもよい。
【００６１】
しかし、サーバがイベント主催者用振替要求部を有していれば、イベントの主催者が収入を得ることができる。従って、イベントの主催者が積極的に本発明の取引支援システムを宣伝してくれることが期待でき、好ましい。
【００６２】
また、サーバは、必ずしも売買総額記録部と振替制御部を有していなくてもよい。
【００６３】
しかし、サーバが売買総額記録部を有していれば、ユーザごとに画像情報の購入総額と販売総額を明確にすることができるので好ましい。
また、サーバが振替制御部を有していれば、ユーザごとに販売総額と購入総額を相殺して決済することができるので好ましい。
【００６４】
また、サーバは、必ずしもイベント用識別情報記録部と認証部を有していなくてもよい。
しかし、サーバがイベント用識別情報記録部と認証部を有していれば、イベントの画像情報の取引を行なうことができるユーザを限定することができるので好ましい。
【００６５】
また、サーバは、必ずしも条件設定部を有していなくてもよい。
しかし、サーバが条件設定部を有してれば、ユーザは、自分の口座への入金をコントロールできるので好ましい。
【００６６】
次に、本発明の取引支援システムを利用して、小学校の運動会の画像情報取引を行なうときの流れの一例を説明する。
【００６７】
本発明の取引支援システムを利用したいユーザは、ユーザ端末を使ってサーバ２へユーザ登録に必要な情報を送信してユーザ登録を行なう。
その際に、ユーザは、ユーザ端末を使ってサーバ２に対して、自分の口座への入金条件の設定要求を送信する。
【００６８】
ここで、入金条件として、「どの時点における、販売総額から購入総額を差し引いた額がいくら以上である場合に入金してもらう」というように、時期と金額を設定する。
具体的には例えば、月末時点における販売総額から購入総額を差し引いた額が１０００円以上である場合に入金してもらうよう設定要求する。
また、入金条件として、ユーザ端末から入金要求がある場合に、入金要求があった月末に入金してもらうよう設定することもできる。
【００６９】
また、サーバ２の条件設定部１４は、ユーザからユーザ端末を介して受信した設定要求に基づいて、振替制御部の入金条件を設定する。
【００７０】
また、小学校などの団体も本発明の取引支援システムを利用するユーザとなり得る。
【００７１】
従って、例えば小学校は、小学校の端末を使ってサーバ２に対して、小学校の運動会などの限定イベント用の識別情報、すなわちＩＤとパスワードを発行するよう要求する。
【００７２】
また、サーバ２のイベント用識別情報データベース１２が、限定イベントのＩＤとパスワードを記録する。
【００７３】
また、小学校は、小学校の運動会の画像情報取引を行なうために必要なＩＤとパスワードが記載された印刷物を、開催前などに配布する。
【００７４】
本発明の取引支援システムを利用したい保護者すなわちユーザは、運動会が終わった後に、配布された印刷物に記載のＩＤとパスワードを、ユーザ端末を使ってサーバへ送信する。
【００７５】
サーバ２の認証部１３は、ユーザからユーザ端末を介して受信したＩＤおよびパスワードを、イベント用識別情報データベース１２が記録したＩＤおよびパスワードと照合する。そして、認証部１３は、両者が合致した場合に、ユーザを認証する。
【００７６】
認証されたユーザＡは、運動会において自分が撮影して得られた、他の子供の画像情報や競技中の保護者の画像情報など通常ではほとんど撮影しない対象の画像情報を、ユーザ端末の画像情報送信部３Ａからサーバ２へ、インターネット１５を介して送信する。
この場合のユーザ端末は、売り手ユーザ端末３である。
【００７７】
このとき、ユーザＡは、画像情報にタグを付けて売り手ユーザ端末３からタグ付き画像情報を送信する。
【００７８】
また、サーバ２の画像情報受信部５は、ユーザＡから売り手ユーザ端末３を介して送信された画像情報を受信する。
さらに、サーバ２の画像情報データベース６は、画像情報受信部５が受信した画像情報を販売価格と関連付けて記録する。
【００７９】
ここで、販売価格は、サーバ２が自動的に決定するか、または、ユーザＡがユーザ端末から販売価格設定要求をサーバ２へ送信して設定する。
【００８０】
一方、認証された他のユーザすなわちユーザＢは、ユーザ端末を使ってサーバ２の画像情報データベース６へアクセスして、運動会において自分以外が撮影した自分の子供の画像情報など、購入したい画像情報をタグに基づいて検索する。
【００８１】
また、ユーザＢは、サーバ２が有する掲示板を利用して、購入したい画像情報を検索することもできる。
すなわち、ユーザＢは、ユーザ端末を使ってサーバ２にアクセスして任意のタグを設定し、掲示板に撮影依頼内容として登録する。
【００８２】
一方、ユーザＡは、ユーザ端末を使ってサーバ２にアクセスして掲示板を閲覧し、撮影依頼内容をクリックする。すると、撮影依頼内容のタグと同一のタグが付された画像情報を、ユーザ端末からサーバ２へ送信して登録できる。
【００８３】
そしてユーザＢは、ユーザ端末を使ってサーバ２にアクセスして掲示板を閲覧し、撮影依頼内容をクリックすることで、設定したタグと同一のタグが付された画像情報を見つけることができる。
【００８４】
そして、購入したい画像情報を見つけたユーザＢは、購入したい画像情報についての買要求を、ユーザ端末の買要求送信部４Ａからサーバ２へ、インターネット１５を介して送信する。
この場合のユーザ端末は、買い手ユーザ端末４である。
【００８５】
また、サーバ２の買要求受信部７は、ユーザＢから買い手ユーザ端末４を使って送信された買要求を受信する。また、買要求受信部７は、買要求を受信するごとに、買要求に対応する画像情報の購入を確定させる。
【００８６】
そして、サーバ２の買要求受信部７が買要求を受信して画像情報の購入が確定すると、サーバ２の画像情報転送部６Ａは、購入が確定した画像情報を、インターネット１５を介して買い手ユーザ端末４へ転送する。
【００８７】
一方、買い手ユーザ端末４の転送画像情報受信部４Ｂは、サーバ２から転送された転送画像情報を受信する。すなわち、買い手ユーザ端末４は、買要求に対応する画像情報をダウンロードする。
【００８８】
また、サーバ２の振替要求部８は、買要求受信部７が受信した買要求に対応する画像情報の金額、すなわち買要求に対応する画像情報の販売価格に相当する金額Ａの一部ａを、ユーザＡの口座へ入金することを、インターネット１５を介して買い手ユーザ用金融機関端末１６へ要求する。
【００８９】
また、サーバ２の振替要求部８は、買要求受信部７が受信した買要求に対応する画像情報の販売価格に相当する金額Ａの残部ｂを、記録された画像情報の管理者すなわちサーバ２の管理者の口座へ入金することも、インターネット１５を介して買い手ユーザ用金融機関端末１６へ要求する。
【００９０】
ここで、サーバ２の振替制御部１１は、ユーザが設定した入金条件に従ってユーザの口座へ入金することを振替要求部８に要求させる。
【００９１】
すると、サーバ２の振替要求部８から要求を受けた買い手ユーザ用金融機関端末１６は、買い手ユーザ用口座データベース１６Ａが記録した残高金額Ｂから、買要求に対応する画像情報の販売価格に相当する金額Ａの一部ａを減じる出金処理を行なう。
すなわち、この出金処理は「Ｂ−ａ」という形で表される。
【００９２】
それと同時に、買い手ユーザ用金融機関端末１６は、売り手ユーザ用金融機関端末１７へ、インターネット１５を介して送金情報を送信する。
【００９３】
さらに、買い手ユーザ用金融機関端末１６は、買要求に対応する画像情報の販売価格に相当する金額Ａの一部ａが減じられた残高金額Ｂから、買要求に対応する画像情報の販売価格に相当する金額Ａの残部ｂを減じる出金処理を行なう。
すなわち、この出金処理は「Ｂ−ａ−ｂ」という形で表される。
【００９４】
それと同時に、買い手ユーザ用金融機関端末１６は、管理者用金融機関端末１８へ、インターネット１５を介して送金情報を送信する。
【００９５】
一方、売り手ユーザ用金融機関端末１７は、買い手ユーザ用金融機関端末１６からの送金情報に基づいて、売り手ユーザ用口座データベース１７Ａが記録した残高金額Ｃに、買要求に対応する画像情報の販売価格に相当する金額Ａの一部ａを加える入金処理を行なう。
すなわち、この入金処理は「Ｃ＋ａ」という形で表される。
【００９６】
また、管理者用金融機関端末１８は、買い手ユーザ用金融機関端末１６からの送金情報に基づいて、管理者用口座データベース１８Ａが記録した残高金額Ｄに、買要求に対応する画像情報の販売価格に相当する金額Ａの残部ｂを加える入金処理を行なう。
すなわち、この入金処理は「Ｄ＋ｂ」という形で表される。
【００９７】
そして、サーバ２のイベント主催者用振替要求部９は、振替要求部８が送金を要求してサーバ２の管理者の口座に入金された金額ｂの一部ｂ´を、イベントの主催者である小学校の口座へ送金することを、インターネット１５を介して管理者用金融機関端末１８へ要求する。
【００９８】
すると、サーバ２のイベント主催者用振替要求部９から要求を受けた管理者用金融機関端末１８は、管理者用口座データベース１８Ａが記録した残高金額Ｄ´から、振替要求部８が送金を要求してサーバ２の管理者の口座に入金された金額ｂの一部ｂ´を減じる出金処理を行なう。
すなわち、この出金処理は「Ｄ´−ｂ´」という形で表される。
【００９９】
それと同時に、管理者用金融機関端末１８は、イベント主催者用金融機関端末１９へ、インターネット１５を介して送金情報を送信する。
【０１００】
ここで、管理者用口座データベース１８Ａが記録した残高金額Ｄ´は、管理者用口座データベース１８Ａが記録した残高金額Ｄと、買要求に対応する画像情報の販売価格に相当する金額Ａの残部ｂを足し合わせた金額である。
すなわち、Ｄ´＝Ｄ＋ｂという式で表される。
【０１０１】
一方、イベント主催者用金融機関端末１９は、管理者用金融機関端末１８からの送金情報に基づいて、イベント主催者用口座データベース１９Ａが記録した残高金額Ｅに、振替要求部８が送金を要求してサーバ２の管理者の口座に入金された金額ｂの一部ｂ´を加える入金処理を行なう。
すなわち、この入金処理は「Ｅ＋ｂ´」という形で表される。
【０１０２】
また、限定イベントとして小学校の運動会を例に挙げて説明したが、必ずしも限定イベントはこれに限られるものではないことは勿論である。
その他の限定イベントとしては、例えば、中学校や高校の運動会、各学校すなわち小学校と中学校と高校の入学式や卒業式、各学校の文化祭、各学校の修学旅行、各学校のその他行事が挙げられる。
【０１０３】
また、本発明の取引支援システムを利用して、ユーザは、ＩＤやパスワードが不要な公のイベントの画像情報を取引することもできることは勿論である。
ここで、公のイベントとしては例えば、部活動大会、スポーツ大会、発表会、お祭りである。
【０１０４】
また、本発明の取引支援システムを利用して取引される画像情報は、必ずしもこれらイベントの画像情報でなくてもよいことは勿論である。
例えば、ホームページなどに使用される素材用の画像情報も、本発明の取引支援システムを利用した取引対象である。
【０１０５】
以上のように、本発明の取引支援システムは、画像情報の取引を支援できる。
【０１０６】
また、本発明の取引支援システムによって、ユーザは、自分が撮った画像情報をユーザ端末からサーバへ送信して販売することができるので、空き時間を有効活用できると共に収入も得ることができる。
さらに、本発明の取引支援システムによって、ユーザは、被写体に対する自分の目で見た記憶が得られると共に、他のユーザが撮った様々なアングルの画像情報を購入できる。
【符号の説明】
【０１０７】
１    取引支援システム
２    サーバ
３    売り手ユーザ端末
３Ａ  画像情報送信部
３Ｂ  イベント用識別情報送信部
４    買い手ユーザ端末
４Ａ  買要求送信部
４Ｂ  転送画像情報受信部
４Ｃ  イベント用識別情報送信部
５    画像情報受信部
６    画像情報データベース
６Ａ  画像情報転送部
７    買要求受信部
８    振替要求部
９    イベント主催者用振替要求部
１０    売買総額データベース
１１    振替制御部
１２    イベント用識別情報データベース
１２Ａ  イベント用識別情報受信部
１３    認証部
１４    条件設定部
１５    インターネット
１６    買い手ユーザ用金融機関端末
１６Ａ  買い手ユーザ用口座データベース
１７    売り手ユーザ用金融機関端末
１７Ａ  売り手ユーザ用口座データベース
１８    管理者用金融機関端末
１８Ａ  管理者用口座データベース
１９    イベント主催者用金融機関端末
１９Ａ  イベント主催者用口座データベース
【図１】
2015215778.tif 000003
【図２】
2015215778.tif 000004